(57)【要約】【課題】テントやビニールハウスなどの骨組みを構築する際に、骨組み用のパイプを簡便かつ確実に固定することができるパイプ継手を提供すること。【解決手段】基部とパイプ連結部とからなり、該パイプ連結部が基部の少なくとも２個所に設けられていることを特徴とするパイプ継手。【選択図】図２
0003120492.tif 000002
【実用新案登録請求の範囲】
【請求項１】
基部とパイプ連結部とからなり、該パイプ連結部が基部の少なくとも２個所に設けられていることを特徴とするパイプ継手。
【請求項２】
パイプ連結部が、連結パイプのパイプ内径と略同一の外径を有するパイプ状または円柱状突起である請求項１に記載のパイプ継手。
【請求項３】
パイプ連結部が、連結パイプのパイプ外径と略同一の内径を有するパイプ状突起である請求項１に記載のパイプ継手。
【請求項４】
パイプ連結部が、基部に３〜４個設けられている請求項１に記載のパイプ継手。
【請求項５】
基部（ａ１、Ａ１）と、該基部に設けられた３個のパイプ連結部とからなり、１個のパイプ連結部（ａ２２、Ａ２２）は基部に対して水平であり、２個のパイプ連結部（ａ２１、ａ２３、Ａ２１、Ａ２３）は、パイプ連結部（ａ２２、Ａ２２）に対して直交し、かつ基部を中心に山型に設けられている請求項１に記載のパイプ継手。
【請求項６】
垂直の基部と、該基部に設けられた４個のパイプ連結部とからなり、１個のパイプ連結部（ｂ２４）は垂直であり、２個のパイプ連結部（ｂ２２、ｂ２３）は、互いに９０°の角度を有し、かつ基部に対して直交しており、１個のパイプ連結部（ｂ２１）は２個のパイプ連結部（ｂ２２、ｂ２３）のいずれか一方と同方向にかつ角度を有して設けられている請求項１に記載のパイプ継手。
【考案の詳細な説明】
【技術分野】
【０００１】
本考案は、パイプ継手に関する。
【背景技術】
【０００２】
従来、簡易テントや簡易ビニールハウスなどが広く使用されている。これらのテントなどは、支柱と天幕などから構成されており、支柱を地面に固定した後天幕やビニールシートを貼設し、ロープなどで固定される（特許文献１、２）。
【特許文献１】実開平０７−０００８１３号公報
【特許文献２】実開平０６−０８７９８５号公報
【考案の開示】
【考案が解決しようとする課題】
【０００３】
テントやビニールハウスなどを構成する場合、先ずその骨組みを形成する必要があり、該骨組みの構成に当たっては、多くのパイプなどの骨組み構造材を各種角度で連結する必要がある。例えば、図１に示すように家型の骨組みを形成する場合には、多くのコーナーでパイプを連結することが必要である。また、横長の骨組みを形成する場合には、多くの個所でパイプを連結することが要求される。
【０００４】
しかしながら、従来のパイプ継手では、２本以上のパイプを水平に連結することは容易であるが、ハウス骨組みのコーナーの連結に際し、パイプを簡便かつ確実に固定するパイプ継手は知られていなかった。また、屋根に傾斜面を形成するためのパイプ継手も知られていない。
従って本考案の目的は、テントやビニールハウスなどの骨組みを構築する際に、骨組み用のパイプを簡便かつ確実に固定することができるパイプ継手を提供することである。
【課題を解決するための手段】
【０００５】
上記目的は以下の本考案によって達成される。すなわち、本考案は、基部とパイプ連結部とからなり、該パイプ連結部が基部の少なくとも２個所に設けられていることを特徴とするパイプ継手（以下単に「継手」という）を提供する。この継手においては、パイプ連結部が連結パイプのパイプ内径と略同一の外径を有するパイプ状または円柱状突起であること；または、パイプ連結部が連結パイプのパイプ外径と略同一の内径を有するパイプ状突起であること；パイプ連結部が基部に３〜４個設けられていることが好ましい。
【０００６】
上記継手のうちで典型的な形態は、基部（ａ１、Ａ１）と、該基部に設けられた３個のパイプ連結部とからなり、１個のパイプ連結部（ａ２２、Ａ２２）は基部に対して水平であり、２個のパイプ連結部（ａ２１、ａ２３、Ａ２１、Ａ２３）は、パイプ連結部（ａ２２、Ａ２２）に対して直交し、かつ基部を中心に山型に設けられている継手である。
【０００７】
また、上記継手のうちで典型的な他の形態は、垂直の基部と、該基部に設けられた４個のパイプ連結部とからなり、１個のパイプ連結部（ｂ２４）は垂直であり、２個のパイプ連結部（ｂ２２、ｂ２３）は、互いに９０°の角度を有し、かつ基部に対して直交しており、１個のパイプ連結部（ｂ２１）は２個のパイプ連結部（ｂ２２、ｂ２３）のいずれか一方と同方向にかつ角度を有して設けられている継手である。
【考案の効果】
【０００８】
本考案によれば、テントやビニールハウスなどの骨組みを構築する際に、骨組み用のパイプを簡便かつ確実に固定することができる継手を提供することができる。
【考案を実施するための最良の形態】
【０００９】
次に考案を実施するための最良の形態を示す図面を参照して本考案をさらに詳しく説明する。図１は、本考案の継手により、骨組み材料である構造用パイプを連結した状態を示している。なお、構造用パイプそれ自体は直線で示してある。
【００１０】
本考案の継手は、その使用個所によってａ〜ｊまでの複数種がある。継手ａは、骨組みの頂部を構成するとともに、屋根に傾斜を付与するためのものであり、継手ｂおよびｅは骨組みのコーナー上部を構成するとともに、屋根に傾斜を与える継手である。継手ｄおよびｃは、骨組みのコーナー下部を構成する継手であり、同一構造である。中間継手ｈ、ｆ、ｇ、ｉ、ｊは骨組みの高さおよび長さを増すとともに、骨組みの各方向の強度を増すための継手である。
【００１１】
次に図１におけるａ−ｂ−ｈ−ｄ−ｃ−ｈ−ｅ面の構造を構成する各継手について説明する。図２は継手ａの斜視図である。継手ａは、基部ａ１と該基部ａ１から突出している３本のパイプ連結部ａ２１〜ａ２３とから構成されている。パイプ連結部ａ２１〜ａ２３のそれぞれは、これらのパイプ連結部の外径と略同一の内径を有する連結パイプ（不図示）の端部に嵌合され、該連結パイプを介して他の継手ｂ、ｅ、ｊのパイプ連結部と係合する。パイプ連結部ａ２１とパイプ連結部ａ２３とは、基部ａ１を中心として角度α分だけ山型に折れ曲がっている。この時の角度αによって屋根の傾斜面が決定される。角度αは約１７０°から９０°程度である。また、パイプ連結部ａ２１とａ２２、パイプ連結部ａ２２とａ２３はそれぞれ互いに９０°の角度を有して配置され、パイプ連結部ａ２２は基部ａ１に対して水平である。
【００１２】
図３は、継手ｂの斜視図であり、垂直の基部ｂ１と該基部ｂ１から突出している４本のパイプ連結部ｂ２１〜ｂ２４とから構成されており、パイプ連結部ｂ２１の水平に対する角度は前記継手ａのパイプ連結部ａ２３の角度に対応した角度を有し、該パイプ連結部ｂ２１の外径と略同一の内径を有する連結パイプ（不図示）に嵌合され、該連結パイプを介して前記継手ａのパイプ連結部ａ２３と係合して屋根の傾斜を構成する。パイプ連結部ｂ２４は垂直であり、パイプ連結部ｂ２２およびｂ２３は、互いに９０°の角度を有し、かつ基部に対して直交している。パイプ連結部ｂ２２〜ｂ２４は同様に他の継手ｅ、ｆ、ｈと係合する。
【００１３】
図４は、継手ｅの斜視図であり、図３に示す継手ｂとは鏡面対象であり、継手ｂと同様に他の継手ａ、ｂ、ｈ、ｆと係合する。図５は、継手ｄの斜視図であり、基部ｄ１と該基部ｄ１から互いに９０°の角度を有する３個のパイプ連結部ｄ２１〜ｄ２３を有している。パイプ連結部ｄ２１〜ｄ２３は、前記と同様に連結パイプを介して他の継手ｈ、ｃ、ｉと係合する。なお、継手ｃは継手ｄと向きが異なるが同一形状である。また、図１におけるａ−ｅ−ｈ−ｄ−ｃ−ｈ−ｂ面は、向きが異なる以外は、前記ａ−ｂ−ｈ−ｄ−ｃ−ｈ−ｅ面の構造と同一である。
【００１４】
次に中間部材である継手ｈ、ｆ、ｇ、ｉおよびｊを図６〜図１０を参照して説明する。継手ｈは基部ｈ１とパイプ連結部ｈ２１〜ｈ２４から構成されており、それぞれのパイプ連結部は前記と同様に連結パイプを介して他の継手ｂ、ｄ、ｈ、ｇと係合する。継手ｆは基部ｆ１とパイプ連結部ｆ２１〜ｆ２４とからなり、それぞれのパイプ連結部は前記と同様に連結パイプを介して他の継手ｂ、ｇ、ｅ、およびｊと係合する。継手ｇは基部ｇ１とパイプ連結部ｇ２１〜ｇ２４から構成され、それぞれのパイプ連結部は前記と同様に連結パイプを介して他の継手ｈ、ｈ、ｆ、ｉと係合する。継手ｉは基部ｉ１とパイプ連結部ｉ２１〜ｉ２３から構成され、それぞれのパイプ連結部は前記と同様に連結パイプを介して他の継手ｄ、ｇ、ｄと係合する。継手ｊは基部ｊ１とパイプ連結部ｊ２１〜ｊ２４から構成され、それぞれのパイプ連結部は前記と同様に連結パイプを介して他の継手ａ、ｆ、ａ、ｆと係合する。
以上のように継手ａ〜ｊと連結パイプを用いることで図１に示す如くテントやハウスなどの骨組みが構成される。
【００１５】
図１１は、本考案の他の実施態様を示す図であり、ここで使用されている継手Ａ〜Ｊは、それぞれ前記継手ａ〜ｊに対応している。継手Ａ〜Ｊは、各パイプ連結部が、骨組みを構成する連結パイプの外径と略同一に内径を有するパイプ状突起であること以外は前記継手ａ〜ｊと同一である。継手Ａ〜Ｊにおいては、それらのパイプ連結部中に連結パイプを嵌合させることで、図１１に示す骨組みが形成される。各継手の斜視図を図１２〜図２０に示す。
以上のように継手Ａ〜Ｊと連結パイプを用いることで図１１に示す如くテントやハウスなどの骨組みが構成される。
【００１６】
以上の本考案の継手の材料は特に限定されないが、強度の点から鉄製、ステンレススチール製、アルミニウム製などが好ましい。また、各継手の基部の構造は、各パイプ連結部が強固に結合される構造であればよい。また、全ての継手におけるパイプ連結部の長さは５〜２０ｃｍ程度であり、継手ａ〜ｉにおけるパイプ連結部はパイプ状でも円柱状でもよく、その外径は５〜５０ｍｍ程度である。また、継手Ａ〜Ｉにおけるパイプ連結部はパイプ状であることが必要で、その内径は５０〜１００ｍｍ程度であることが好ましい。
【産業上の利用可能性】
【００１７】
本考案によれば、テントやビニールハウスなどの骨組みを構築する際に、骨組み用のパイプを簡便かつ確実に固定することができる継手を提供することができる。
【図面の簡単な説明】
【００１８】
【図１】本考案の継手の使用方法を説明する図。
【図２】本考案の継手ａの斜視図。
【図３】本考案の継手ｂの斜視図。
【図４】本考案の継手ｅの斜視図。
【図５】本考案の継手ｄの斜視図。
【図６】本考案の継手ｈの斜視図。
【図７】本考案の継手ｆの斜視図。
【図８】本考案の継手ｇの斜視図。
【図９】本考案の継手ｉの斜視図。
【図１０】本考案の継手ｊの斜視図。
【図１１】本考案の継手の使用方法を説明する図。
【図１２】本考案の継手Ａの斜視図。
【図１３】本考案の継手Ｂの斜視図。
【図１４】本考案の継手Ｅの斜視図。
【図１５】本考案の継手Ｄの斜視図。
【図１６】本考案の継手Ｈの斜視図。
【図１７】本考案の継手Ｆの斜視図。
【図１８】本考案の継手Ｇの斜視図。
【図１９】本考案の継手Ｉの斜視図。
【図２０】本考案の継手Ｊの斜視図。
【符号の説明】
【００１９】
ａ１、ｂ１、ｃ１、ｄ１、ｅ１、ｆ１、ｇ１、ｈ１、ｉ１・・・：基部
ａ２１、ａ２２、ａ２３、ｂ２１、ｂ２２、ｂ２３、ｂ２４、ｅ２１、ｅ２２、ｅ２３、ｅ２４、ｄ２１、ｄ２２、ｄ２３、ｈ２１、ｈ２２、ｈ２３、ｈ２４、ｆ２１、ｆ２２、ｆ２３、ｆ２４、ｇ２１、ｇ２２、ｇ２３、ｇ２４・・・：パイプ連結部
【図１】
0003120492.tif 000003
【図２】
0003120492.tif 000004
【図３】
0003120492.tif 000005
【図４】
0003120492.tif 000006
【図５】
0003120492.tif 000007
【図６】
0003120492.tif 000008
【図７】
0003120492.tif 000009
【図８】
0003120492.tif 000010
【図９】
0003120492.tif 000011
【図１０】
0003120492.tif 000012
【図１１】
0003120492.tif 000013
【図１２】
0003120492.tif 000014
【図１３】
0003120492.tif 000015
【図１４】
0003120492.tif 000016
【図１５】
0003120492.tif 000017
【図１６】
0003120492.tif 000018
【図１７】
0003120492.tif 000019
【図１８】
0003120492.tif 000020
【図１９】
0003120492.tif 000021
【図２０】
0003120492.tif 000022